(57)【要約】【課題】本発明は、ディスクがランプに接触しても記録面に損傷を与えず、また塵埃が発生してもヘッドに衝突する可能性を低くしたディスク装置及び情報記録ディスクを提供することを課題とする。【解決手段】ランプローディング方式を用いたディスク装置は、情報記録面３ｂと外周側面３ａとを有するディスク３と、ディスク３の一部が入り込む嵌合部１２ｃが形成されたランプ部材１２とを有する。ディスク３の外周側面３ａの全周に渡って溝２０が形成される。ランプ部材１２の嵌合部１２ｃにおいて、ディスク３の外周側面３ａに対向する部位に突出部２２が設けられる。突出部２２は溝２０内に突出している。【選択図】図４
2009129512.tif 000002
【特許請求の範囲】
【請求項１】
ランプローディング方式を用いたディスク装置であって、
情報記録面と外周側面とを有するディスクの一部が入り込む嵌合部が形成されたランプ部材を有し、
前記ディスクの前記外周側面の全周に渡って溝が形成され、
前記ランプ部材の前記嵌合部において、前記ディスクの前記外周側面に対向する部位に突出部が設けられ、
該突出部は前記溝内に向かって突出していることを特徴とするディスク装置。
【請求項２】
請求項１記載のディスク装置であって、
前記突出部と前記溝の内面との間に所定の間隙が形成されることを特徴とするディスク装置。
【請求項３】
請求項２記載のディスク装置であって、
前記所定の間隙の寸法は、前記ディスクの前記情報記録面と前記ランプ部材の前記嵌合部の内面との間の間隙の寸法より小さいことを特徴とするディスク装置。
【請求項４】
請求項１乃至３のうちいずれか一項記載のディスク装置であって、
前記溝の断面形状はテーパ形状であり、前記突出部の断面形状も前記溝と同じテーパ形状であることを特徴とするディスク装置。
【請求項５】
ディスク装置に組み込まれるように構成された情報記録ディスクであって、
外周側面の全周に渡って溝が形成されたことを特徴とする情報記録ディスク。
【発明の詳細な説明】
【技術分野】
【０００１】
本発明はディスク装置に係り、特にヘッドをディスクに対してローディング／アンローディングするためにランプロード方式を用いたディスク装置に関する。
【背景技術】
【０００２】
コンピュータに組み込まれる情報記憶装置として、ハードディスクドライブ（ＨＤＤ）が用いられることが多い。ディスク装置であるＨＤＤは、読み取り／書き込みヘッドを用いてディスクに記録された情報を再生したり、ディスクに情報を記録したりする。このようなＨＤＤ において、ヘッドは、回転するディスクの記録面上で浮上した状態で、アクチュエータにより所望の位置に移動され、ヘッドによる読み取り／書き込みが行われる。
【０００３】
ＨＤＤが作動していないとき、即ちディスクの回転が停止しているときには、ヘッドは、 ディスクの記録面に接触しないように、ディスクの記録面以外の位置に移動される。このヘッドの移動方式には、コンタクトスタートストップ（ＣＳＳ）方式とランプローディング方式とがある。ＣＳＳ方式は、ディスクの内周側に情報が記録されないパーキングゾーンを設け、そのパーキングゾーンにヘッドを当接させて停止させる方式である。ランプローディング方式は、ディスクの外側にランプを設置し、そのランプ上にヘッドを移動させて停止させる方式である。
【０００４】
上述のＣＳＳ方式の場合、ディスク装置が作動していない時、 即ちディスクが回転していない時に、外部から衝撃が加えられると、この衝撃によりディスクとヘッドとが振動し、 ヘッドがディスクに衝突することがある。このような衝突が発生すると、衝突の衝撃でヘッドが損傷を受け、ヘッドの読み取り／書き込み性能が低下するおそれがある。
【０００５】
一方、ランプローディング方式によれば、ディスク装置が作動していない時、 即ちディスクが回転していない時には、ヘッドはランプ上に乗り上げて停止しており、ヘッドがディスクに衝突することは無い。従って、作動時に振動が加わることが多い携帯用のＨＤＤなどのディスク装置には、ディスクとヘッドとの衝突によるヘッドの損傷を防止できるランプローディング方式が用いられる。
【０００６】
ノートブック型パーソナル・コンピュータや音楽再生装置などの可搬式機器に使用されるランプローディング方式の磁気ディスク装置は、近年一層の小型化および薄型化が図られている。これに伴って磁気ディスクの記録面とランプとの隙間も一層小さくなってきている。
【０００７】
磁気ディスク装置に外部から衝撃や振動が加えられると、磁気ディスクはスピンドル軸に対する固定部のがたつきや磁気ディスク自体のたわみなどによりランプに衝突する場合がある。また、外部からの原因だけでなく、磁気ディスクの回転により内部に発生した気流の影響で磁気ディスクにフラッタリングといううねりが発生して、ランプに接触することもある。
【０００８】
ランプと磁気ディスクが衝突したり接触したりすると、磁気ディスクの記録面に傷がついて記録面を損ねるおそれがある。また、磁気ディスクやランプが損傷して粉塵が発生し、この粉塵がヘッドに衝突するとヘッドが損傷するおそれがある。
【０００９】
そこで、ディスクとランプの嵌合部において、ランプのディスク外周エッジと対向する部分を突出させることが提案されている（例えば、特許文献１参照。）。ディスクが振動した場合は、ディスク外周エッジの面取り部とランプの突出部を先ず接触させることで、記録面にランプが接触することを防止する。
【００１０】
また、ディスクとランプの嵌合部において、ランプのディスク外周エッジと対向する部分を窪ませる、あるいはディスク外周部に外側に向かってテーパを付けることが提案されている（例えば、特許文献２参照。）。ディスクとランプとが接触し易い部分においてディスクとランプとの間の距離を大きくして、ディスクがランプに接触しないようにするものである。
【特許文献１】特開２００６−１２４０５号公報
【特許文献２】特開２００６−３２３９３９号公報
【発明の開示】
【発明が解決しようとする課題】
【００１１】
特許文献１に開示された技術のようにランプのディスク外周エッジと対向する部分を突出させる場合、ディスク外周エッジの面取り部とランプの突出部が接触した際に、粉塵が生じるおそれがある。粉塵の発生する部分は磁気ディスクの記録面に近い部分であり、粉塵が記録面上に移動してヘッドに衝突するという問題は解決されない。
【００１２】
特許文献２に開示された技術のようにランプ側に窪みを設けてディスクのエッジ部分がランプに接触し難くした場合であっても、ディスクが大きく撓んだ場合にはディスクの記録面にランプが接触するおそれがある。また、ディスクの端部にテーパを付けた場合であっても、ディスクが大きく撓んだ場合はテーパが付けられていない部分にランプが接触するおそれがある。特に、ディスクとランプの嵌合部における間隙は益々小さくなってきており、ランプとディスクの接触は避けられない状況となっている。
【００１３】
本発明は上述の問題に鑑みなされたものであり、ディスクがランプに接触しても記録面に損傷を与えず、また塵埃が発生してもヘッドに衝突する可能性を低くしたディスク装置及びディスクを提供することを目的とする。
【課題を解決するための手段】
【００１４】
上述の目的を達成するために、本発明によれば、ランプローディング方式を用いたディスク装置であって、情報記録面と外周側面とを有するディスクの一部が入り込む嵌合部が形成されたランプ部材を有し、前記ディスクの前記外周側面の全周に渡って溝が形成され、前記ランプ部材の前記嵌合部において、前記ディスクの前記外周側面に対向する部位に突出部が設けられ、該突出部は前記溝内に突出していることを特徴とするディスク装置が提供される。
【００１５】
また、本願発明によれば、ディスク装置に組み込まれるように構成された情報記録ディスクであって、外周側面の全周に渡って溝が形成されたことを特徴とする情報記録ディスクが提供される。
【発明の効果】
【００１６】
本発明によれば、ディスクが撓んだとしても、先ずランプ部材の突出部がディスクの溝の内面に当接してそれ以上撓まないため、ディスクの情報記録面がランプ部材に接触することを防止することができる。また、ランプ部材の突出部と溝の内面との接触で塵埃が発生したとしても、塵埃は溝内に保持される。これにより、発生した塵埃が情報記録面上のヘッドに衝突することを防止することができる。これにより、振動や衝撃に強いディスク装置を実現することができる。
【発明を実施するための最良の形態】
【００１７】
本発明の実施形態について図面を参照しながら説明する。
【００１８】
まず、本発明の一実施形態によるディスク装置であるハードディスク駆動装置の構成について図１及び図２を参照しながら説明する。図１はハードディスク駆動装置の内部を概略的に示す平面図である。図２は図１におけるランプ部材の近傍を拡大して示す平面図である。
【００１９】
ハードディスク駆動装置１は、平たい直方体の内部空間を区画する箱形の筐体本体２を備える。筐体本体２の内部には、情報記録ディスクとして１枚以上の磁気ディスク３が収容される。磁気ディスク３はスピンドルモータ４の回転軸に装着される。スピンドルモータ４は、例えば７２００ｒｐｍや１００００ｒｐｍといった高速度で磁気ディスク３を回転させることができる。筐体本体２には、筐体本体２との間で内部空間を密閉する蓋体すなわちカバー（図示せず）が結合される。
【００２０】
筐体本体２の内部空間には、先端で磁気ディスク３の情報記録面に向き合うキャリッジ５が設けられる。キャリッジ５は、支軸６を中心に揺動する揺動アーム７と、揺動アーム７の先端に固定されて先端で個別にヘッドスライダ８を支持するサスペンションアーム９とを備える。揺動アーム７の揺動は、例えばボイスコイルモータ（ＶＣＭ）といった電磁アクチュエータ１０の働きを通じて達成される。揺動アーム７の揺動によれば、ヘッドスライダ８は半径方向に磁気ディスク３を横切ることができる。この移動によってヘッドスライダ８は磁気ディスク３上の所望の記録トラックに位置決めされる。周知の通り、複数枚の磁気ディスクが筐体本体２内に組み込まれる場合には、隣接する磁気ディスク３同士の間で１本の揺動アーム７に対して２個のヘッドスライダ８及びヘッドサスペンション９が搭載される。
【００２１】
キャリッジ５のサスペンションアーム９の先端には、サスペンションアーム９から前方に延びるロードビーム１１が取り付けられる。ロードビーム１１は、揺動アーム７の揺動に応じてヘッドスライダ８とともに磁気ディスク３の半径方向に移動する。
【００２２】
ロードビーム１１の移動経路上に沿った位置において、磁気ディスク３の周囲にランプ部材１２が配置される。ロードビーム１１の先端部１１ａは、ヘッドスライダ８が磁気ディスク３の外周部に移動したときに、ランプ部材１２の傾斜面１２ａに乗り上げる。ロードビーム１１が更に磁気ディスクから離れる方向に移動すると、ロードビーム１１の先端部１１ａは、傾斜面１２ａを摺動しながら移動する。この際、傾斜面１２ａに沿ってロードビーム１１が徐々に持ち上げられ、その結果ヘッドスライダ８は磁気ディスク３から遠ざかる。ロードビーム１１の先端部１１ａが傾斜面１２ａを完全に登り切ってから凹部１２ｂに入り込むと、ロードビーム１１の半径方向内側への移動は停止する。このようにしてヘッドスライダ８は、磁気ディスク３の静止中、磁気ディスク３と非接触の状態で保持される。ヘッドスライダ８を磁気ディスク３上に移動する際は、ロードビーム１１が磁気ディスク３の半径方向内側に移動する。これにより、ロードビーム１１の先端部１１ａは傾斜面１２ａを下っていく。最終的に、ロードビーム１１の先端部１１ａは傾斜面１２ａから離脱し、ヘッドスライダ８は磁気ディスク３上に配置される。このとき、磁気ディスク３は既に高速で回転しており、ヘッドスライダ８は磁気ディスク３の回転に伴う空気流により磁気ディスク３上で浮上する。以上のように、ロードビーム１１及びびランプ部材１２は協働でロード／アンロード機構を構成する。
【００２３】
図３はランプ部材の近傍の部分の斜視図である。図３において、図面の簡素化のためサスペンションアーム９は一つだけ示されている。ランプ部材１２は、磁気ディスク３の外周部分を挟み込むように張り出した先端部１２ｃを有する。一対の先端部１２ｃの間に嵌合部１２ｄが形成される。すなわち、磁気ディスク３は、その外周側面近傍の部分がランプ部材の嵌合部１２ｄに挿入された状態で回転可能に支持される。磁気ディスク３の外周側面近傍の部分は非記録面となっており、その非記録面がランプ部材１２の嵌合部１２ｄに挿入された状態となる。したがって、ローディング時にサスペンションアーム９が回動してロードビーム１１の先端部１１ａがランプ部材１２の傾斜面１２ａを滑り降りてランプ部材１２から離れた時点で、磁気ヘッドを有するヘッドスライダ８が磁気ディスク３の情報記録面上に位置して浮上することとなる。
【００２４】
なお、ランプ部材１２は樹脂により形成されることが多く、摩擦係数の小さいデルリン等のポリアセタール系の樹脂を用いることが好ましい。磁気ディスク３は、例えばアルミもしくはガラスの円盤を基材とし、その上に下地層、磁性層を形成し、その上に保護層、潤滑層を形成した構成が一般的である。
【００２５】
本実施形態では、磁気ディスク３の外周側面に円周状に溝が形成され、ランプ部材１２の嵌合部１２ｃ内の突出部がこの溝内に突出するよう構成されている。この溝と突出部について、図４を参照しながら説明する。図４は磁気ディスク３の外周側面近傍がランプ部材１２の嵌合部１２ｃに挿入されている状態を示す簡略断面図である。
【００２６】
上述のように磁気ディスク３の外周側面３ａに溝２０が形成されている。溝２０は外周側面３ａに沿って全周に渡って連続して延在する。溝２０の断面形状は中に入るほど狭くなったテーパ形状であり、溝２０の底部は平坦な底面２０ａとなっている。
【００２７】
ランプ部材１２の嵌合部１２ｃに磁気ディスク３が挿入されて配置されると、嵌合部１２ｃの底面１２ｅは、磁気ディスク３の外周側面３ａに僅かな空隙を介して対向した状態となる。磁気ディスク３の情報記録面３ｂと嵌合部１２ｃの側面１２ｆとの間には所定の寸法Ｄの間隙が形成される。
【００２８】
嵌合部１２ｃの底面１２ｅには、磁気ディスク３の外周側面３ａの溝２０内に突出する突出部２２が形成されている。突出部２２の断面形状は、溝２０と同じテーパ形状であり、溝２０の内側面と突出部２２の側面との間には所定の寸法ｄの間隙が形成される。
【００２９】
ここで、磁気ディスク３と嵌合部１２ｃの側面１２ｆとの間の間隙の寸法Ｄは、溝２０の内側面と突出部２２の側面と間の間隙の寸法ｄより大きくなるように設定される（Ｄ<ｄ）。このような構成とすると、磁気ディスク３が撓んだり傾斜した場合、まず磁気ディスク３の最外周部分に設けられた溝２０の内面がランプ部材１２の突出部２２に当接し、磁気ディスクはそれ以上変形できなくなる。したがって、磁気ディスク３の撓みや傾斜はそれ以上大きくなることはなく、磁気ディスク３の情報記録面３ｂにランプ部材１４が接触するような状態とはならない。したがって、磁気ディスク３の情報記録面３ｂの損傷を防止することができる。
【００３０】
ここで、一例として、磁気ディスク３の厚さが０．７ｍｍ〜１．８ｍｍであるとすると、磁気ディスク３がランプ部材１２の嵌合部１２ｃに入る部分の寸法を例えば１ｍｍとすることができる。この場合、磁気ディスク３の外周側面３ａから１．２ｍｍ〜１．３ｍｍまでの部分を非記録部分とし、それより内側の部分を記録部分とすることができる。このときの寸法Ｄを約０．２ｍｍとし、寸法ｄを０．０５ｍｍ〜０．１ｍｍとすれば、Ｄ<ｄを満足することができ、有効に磁気ディスク３の撓みや傾斜を抑制することができる。
【００３１】
磁気ディスク３の情報記録面３ｂには、通常、潤滑剤が塗布されており、ヘッドスライダが接触した場合でも摩擦を小さくして磁気ディスク３の損傷を防止している。本実施形態では、磁気ディスク３の溝２０の内側面及び底面を含む内壁にも潤滑剤が塗布される。これにより、磁気ディスク３の溝２０の内面がランプ部材１２の突出部２２に接触しても、摩擦が小さく、溝２０の内側面は突出部２２を滑らかに摺動することができ、接触部分の損傷や塵埃の発生を抑制することができる。
【００３２】
また、溝２０の内側面と突出部２２との接触により塵埃が発生したとしても、塵埃は溝２０内の潤滑剤に付着し、溝２０内に保持される。したがって、塵埃が磁気ディスク３の情報記録面３ｂに移動してヘッドスライダや磁気ヘッドと衝突することを防止することができる。
【００３３】
以上のように、本実施形態による磁気ディスク駆動装置は、振動や衝撃が加わっても磁気ディスクの撓みや傾斜が抑制され、磁気ディスク３の情報記録面３ｂの損傷を防止することができる。また、磁気ディスク３とランプ部材１２とが接触する部分は、情報記録面３ｂとは異なる外周側面３ａに設けられた溝２０内であるため、塵埃が情報記録面３ｂに移動することがなく、塵埃が磁気ヘッドに衝突することを防止することができる。これにより、振動や衝撃に強い磁気ディスク駆動装置を実現することができる。
【００３４】
なお、溝２０及び突出部２２の断面形状はテーパ形状となっている。磁気ディスク３が型成形品である場合、テーパを付ける必要がある。ランプ部材１２も同様に型成形品である場合テーパを付ける必要がある。このように、製造上の制約により溝２０及び突出部２２をテーパ形状とする必要があるが、それ以外にも、突出部２２の根本の寸法を大きくして強度を維持するという効果がある。突出部２２には磁気ディスク３が接触するため、ある程度強度を有していないと、接触時に突出部２２が破損してしまうおそれがあるが、テーパ形状として根本を強くしておくことで、磁気ディスク３の接触による力に耐えられるように構成することができる。テーパの角度は、磁気ディスク３やランプ部材１２の形状や寸法に応じて適宜決定すればよい。
【００３５】
溝２０及び突出部２２の断面形状はテーパ形状に限定されることなく、図５に示すように矩形形状であってもよい。また、溝２０の内側面及び底面２０ａ及び突出部２２の側面及び頂面は、必ずしも平面である必要はなく、曲面であってもよい。
【００３６】
図５に示すように溝２０及び突出部２２の断面形状を矩形形状とした場合、強度上許される限り溝２０を深くして突出部２２の長さを長くすることで、溝２０の内側面が突出部２２の側面に接触する際の接触面積を大きくすることができ、単位面積当たりの接触圧を小さくすることができる。これにより磁気ディスク３とランプ部材１２との摩擦を小さくして塵埃の発生を抑制することができる。
【００３７】
上述の実施形態ではディスク装置として磁気ディスクク駆動装置を例にとって説明したが、本発明は磁気ディスク装置に限ることなく、光磁気ディスク装置や光ディスク装置等のディスク装置にも適用することができる。したがって、本願発明は、磁気ディスク以外に、光磁気ディスクや光ディスク等の情報記録ディスクにも適用することができる。
【００３８】
以上のように、本明細書は以下の発明を開示する。
（付記１）
ランプローディング方式を用いたディスク装置であって、
情報記録面と外周側面とを有するディスクの一部が入り込む嵌合部が形成されたランプ部材を有し、
前記ディスクの前記外周側面の全周に渡って溝が形成され、
前記ランプ部材の前記嵌合部において、前記ディスクの前記外周側面に対向する部位に突出部が設けられ、
該突出部は前記溝内に向かって突出していることを特徴とするディスク装置。
（付記２）
付記１記載のディスク装置であって、
前記突出部と前記溝の内面との間に所定の間隙が形成されることを特徴とするディスク装置。
（付記３）
付記２記載のディスク装置であって、
前記所定の間隙の寸法は、前記ディスクの前記情報記録面と前記ランプ部材の前記嵌合部の内面との間の間隙の寸法より小さいことを特徴とするディスク装置。
（付記４）
付記１乃至３のうちいずれか一項記載のディスク装置であって、
前記溝の断面形状はテーパ形状であり、前記突出部の断面形状も前記溝と同じテーパ形状であることを特徴とするディスク装置。
（付記５）
付記１乃至３のうちいずれか一項記載のディスク装置であって、
前記溝の断面形状は矩形形状であり、前記突出部の断面形状も前記溝と同じ矩形形状であることを特徴とするディスク装置。
（付記６）
付記１乃至５のうちいずれか一項記載のディスク装置であって、
前記溝の内壁に潤滑剤が塗布されていることを特徴とするディスク装置。
（付記７）
ディスク装置に組み込まれるように構成された情報記録ディスクであって、
外周側面の全周に渡って溝が形成されたことを特徴とする情報記録ディスク。
（付記８）
付記７記載の情報記録ディスクであって、
前記溝の断面形状はテーパ形状であることを特徴とする情報記録ディスク。
（付記９）
付記７記載の情報記録ディスクであって、
前記溝の断面形状は矩形形状であることを特徴とする情報記録ディスク。
【図面の簡単な説明】
【００３９】
【図１】ハードディスク駆動装置の内部を概略的に示す平面図である。
【図２】図１に示すランプ部材の近傍を拡大して示す平面図である。
【図３】ランプ部材の近傍の部分の斜視図である。
【図４】磁気ディスクの外周側面近傍がランプ部材の嵌合部に挿入されている状態を示す簡略断面図である。
【図５】図４に示す溝の断面形状を矩形形状とした場合を示す簡略断面図である。
【符号の説明】
【００４０】
１  ハードディスク駆動装置
２  筐体本体
３  磁気ディスク
３ａ  外周側面
３ｂ  情報記録面
４  スピンドルモータ
５  キャリッジ
６  支軸
７  揺動アーム
８  ヘッドスライダ
９  サスペンションアーム
１０  電動アクチュエータ
１１  ロードビーム
１１ａ  先端部
１２  ランプ部材
１２ａ  傾斜面
１２ｂ  凹部
１２ｃ  先端部
１２ｄ  嵌合部
１２ｅ  底面
１２ｆ  側面
２０  溝
２０ａ  底面
２２  突出部
【図１】
2009129512.tif 000003
【図２】
2009129512.tif 000004
【図３】
2009129512.tif 000005
【図４】
2009129512.tif 000006
【図５】
2009129512.tif 000007